(57)【要約】【課題】輝線を有する蛍光灯の下における対象物の色の表色系の値を精度よく求めることが可能な色測定方法、その色測定方法を用いた色調整方法、カラー画像形成方法及びカラー画像形成システムを提供すること。【解決手段】第１の波長間隔より広い第２の波長間隔で対象物の各波長における反射率を取得し、その第２の波長間隔の反射率を補間することにより、第１の波長間隔の反射率を求める段階と（Ｓ２１）、輝線を有する光源の第１の波長間隔の各波長における放射量と補間により求めた第１の波長間隔の各波長における反射率とを用いて対象物の色を示す表色系の値を求める段階（Ｓ２２，Ｓ２３）とを含むことを特徴とする。【選択図】図１１
2007187508.tif 000002
【特許請求の範囲】
【請求項１】
輝線を有する蛍光灯の第１の波長間隔の各波長における放射量を取得する段階と、
前記第１の波長間隔より広い第２の波長間隔で対象物の各波長における反射率を取得する段階と、
前記第２の波長間隔の反射率を補間することにより、前記第１の波長間隔の反射率を求める段階と、
前記第１の波長間隔の各波長における放射量と前記補間により求めた第１の波長間隔の各波長における反射率とを用いて前記対象物の色を示す表色系の値を求める段階とを含むことを特徴とする色測定方法。
【請求項２】
前記表色系の値を求める段階は、
ＣＩＥ（Ｃｏｍｍｉｓｓｉｏｎ  Ｉｎｔｅｒｎａｔｉｏｎａｌｅ  ｄｅ  ｌ’Ｅｃｌａｉｒａｇｅ）で定められたＸＹＺ表色系の値についての分光特性のそれぞれと、前記第１の波長間隔の各波長における放射量と、前記第１の波長間隔の各波長における反射率との積を求め、前記求めた各波長の積の合計値から、ＸＹＺ表色系の値を求める段階を含む請求項１に記載の色測定方法。
【請求項３】
前記表色系の値を求める段階は、
前記ＸＹＺ表色系の値からＬ＊ａ＊ｂ＊表色系の値を求める段階を更に含む請求項２に記載の色測定方法。
【請求項４】
複数の基本色のそれぞれの色の濃度の段階を示す階調値に基づいて第１のカラー画像出力装置で出力される色調と第２のカラー画像出力装置で出力する色調とを合わせるように色調整を行う色調整方法であって、
輝線を有する蛍光灯の第１の波長間隔の各波長における放射量を取得する段階と、
前記第１の波長間隔より広い第２の波長間隔で、前記第１及び第２のカラー画像出力装置で前記複数の基本色の階調値の複数の組み合わせにより出力された各色の各波長における反射率を取得する段階と、
前記第１及び第２のカラー画像出力装置それぞれの出力についての前記第２の波長間隔の各波長における反射率を補間することにより、それぞれの前記第１の波長間隔の反射率を求める段階と、
前記第１の波長間隔の各波長における放射量と前記補間により求めた前記第１及び第２のカラー画像出力装置それぞれの出力についての第１の波長間隔の各波長における反射率とを用いてそれぞれの各色の表色系の値を求める段階と、
前記第１及び第２のカラー画像出力装置それぞれについて、前記複数の基本色の階調値の複数の組み合わせと、前記求めた各色の表色系の値とを関連付けたテーブルをそれぞれ作成する段階と、
前記作成した前記第１及び第２のカラー画像出力装置のそれぞれについてのテーブルを用いて前記色調整を行うことを特徴とする色調整方法。
【請求項５】
複数の基本色のそれぞれの色の濃度の段階を示す階調値を含んで構成される画像データに基づいて第１のカラー画像出力装置で出力される画像の色調を色あわせの目標とし、前記画像データに基づいて第２のカラー画像出力装置で出力する色調を前記目標とする色調に合わせるように色調整を行ってカラー画像を形成するカラー画像形成方法であって、
輝線を有する蛍光灯の第１の波長間隔の各波長における放射量を取得する段階と、
前記第１の波長間隔より広い第２の波長間隔で、前記第１及び第２のカラー画像出力装置で前記複数の基本色の階調値の複数の組み合わせにより出力された各色の各波長における反射率を取得する段階と、
前記第１及び第２のカラー画像出力装置それぞれの出力についての前記第２の波長間隔の各波長における反射率を補間することにより、それぞれの前記第１の波長間隔の反射率を求める段階と、
前記第１の波長間隔の各波長における放射量と前記補間により求めた前記第１及び第２のカラー画像出力装置それぞれの出力についての第１の波長間隔の各波長における反射率とを用いてそれぞれの各色の表色系の値を求める段階と、
前記第１及び第２のカラー画像出力装置それぞれについて、前記複数の基本色の階調値の複数の組み合わせと、前記求めた各色の表色系の値とを関連付けたテーブルをそれぞれ作成し、前記それぞれのテーブルを用いて、複数の基本色の階調値の組み合わせと、該組み合わせにより前記第１のカラー画像出力装置で出力する色を前記第２のカラー画像出力装置で出力する複数の基本色の階調値の組み合わせとを複数について関連づけた色変換テーブルを作成する段階と、
前記作成されたそれぞれの色変換テーブルを用いて前記画像データの複数の基本色の階調値の組み合わせを変換する段階と、
前記変換された画像データに基づいて前記第２のカラー画像出力装置でカラー画像を形成する段階とを含むことを特徴とするカラー画像形成方法。
【請求項６】
複数の基本色のそれぞれの色の濃度の段階を示す階調値を含んで構成される画像データに基づいて第１のカラー画像出力装置で出力される画像の色調を色あわせの目標とし、前記画像データに基づいて画像を出力する第２のカラー画像出力装置を備え、前記画像データに基づいて第２のカラー画像出力装置で出力する色調を前記目標とする色調に合わせるように色調整を行ってカラー画像を形成するカラー画像形成システムであって、
輝線を有する蛍光灯の第１の波長間隔の各波長における放射量を取得する放射量取得手段と、
前記第１の波長間隔より広い第２の波長間隔で、前記第１及び第２のカラー画像出力装置で前記複数の基本色の階調値の複数の組み合わせにより出力された各色の各波長における反射率を取得する反射率取得手段と、
前記第１及び第２のカラー画像出力装置それぞれの出力についての前記第２の波長間隔の各波長における反射率を補間することにより、それぞれの前記第１の波長間隔の反射率を求め、前記第１の波長間隔の各波長における放射量と前記補間により求めた前記第１及び第２のカラー画像出力装置それぞれの出力についての第１の波長間隔の各波長における反射率とを用いてそれぞれの各色の表色系の値を求める色演算手段と、
前記第１及び第２のカラー画像出力装置それぞれについて、前記複数の基本色の階調値の複数の組み合わせと、前記求めた各色の表色系の値とを関連付けたテーブルをそれぞれ作成し、前記それぞれのテーブルを用いて、複数の基本色の階調値の組み合わせと、該組み合わせにより前記第１のカラー画像出力装置で出力する色を前記第２のカラー画像出力装置で出力する複数の基本色の階調値の組み合わせとを複数について関連づけた色変換テーブルを作成するＬＵＴ作成手段と、
前記作成されたそれぞれの色変換テーブルを用いて前記画像データの複数の基本色の階調値の組み合わせを変換する階調値変換手段と、
前記変換された画像データに基づいてカラー画像を形成するように前記第２のカラー画像出力装置を制御する制御手段とを備えることを特徴とするカラー画像形成システム。
【発明の詳細な説明】
【技術分野】
【０００１】
本発明は、輝線を有する蛍光灯下に置ける色の色測定方法、その色測定方法を用いた色調整方法、カラー画像形成方法、及び、カラー画像形成システムに関する。
【背景技術】
【０００２】
従来、印刷機（第１のカラー画像出力装置）とカラープルーフを出力する校正用カラープリンタ（第２のカラー画像出力装置）との色合わせを、いわゆるカラーマネージメントシステムを用いて、校正用カラープリンタの色を印刷機の色に合わせ込む等の色調整を行っていた。
【０００３】
ここで、カラーマネージメントシステムには、一例として、校正用カラープリンタや印刷機における複数の基本色の階調値の複数の組み合わせに対するＬ＊ａ＊ｂ＊表色系の値等の色特性の値を示すルックアップテーブル（ＣＭＹＫ→Ｌ＊ａ＊ｂ＊  ＬＵＴ）や複数の色特性の値に対する複数の基本色の階調値の組み合わせを示すルックアップテーブル（Ｌ＊ａ＊ｂ＊→ＣＭＹＫ  ＬＵＴ）の出力装置の出力色特性を表すデバイスカラープロファイルを用いて、印刷機で出力する目標とする色を校正用カラープリンタで出力するように、ＣＭＹＫのパラメータの組み合わせを変換するデバイスリンクカラープロファイルのＣＭＹＫ→ＣＭＹＫ  ＬＵＴ作成し、ＣＭＹＫ→ＣＭＹＫ  ＬＵＴを用いて画像データのＣ、Ｍ、Ｙ及びＫを変換して、校正用カラープリンタの色を印刷機の色に合わせ込むものがある（例えば、特許文献１参照。）。
【０００４】
ここで、Ｃはシアン（青緑色）、Ｍはマゼンタ（赤紫色）、Ｙはイエロー（黄色）、Ｋはブラック（黒色）であり、Ｌ＊ａ＊ｂ＊表色系の値は色を表す３次元空間で、ａ＊ｂ＊平面により色あい・彩度が表され、Ｌ＊はａ＊ｂ＊平面に直交し明度を表し、ＬＵＴはルックアップテーブルである。また、階調値とは、白を０、ベタを２５５として段階的に示す値である。また、色を白を０、ベタを１００で段階的に示す網点面積率（網％ということがある）で表してもよい。
【０００５】
また、Ｌ＊ａ＊ｂ＊表色系の値は、人間の眼の感度に相当するものとしてＣＩＥ（Ｃｏｍｍｉｓｓｉｏｎ  Ｉｎｔｅｒｎａｔｉｏｎａｌｅ  ｄｅ  ｌ’Ｅｃｌａｉｒａｇｅ；国際照明委員会）で定められたｘ（λ），ｙ（λ），ｚ（λ）（ＣＩＥ１９３１中では、このｘ，ｙ，ｚの上にはバー（−）が付けられている。）の分光特性と各波長λにおける光源の放射量Ｌ（λ）と対象物の反射率Ｒ（λ）を積算した値を合計して求めたＸＹＺ表色系の値に基づくものである。このＸＹＺ表色系の値のＸ、Ｙ及びＺの値（以下、纏めてＸＹＺ値ということがある）は、色の三刺激値と呼ばれるもので、Ｘ軸、Ｙ軸、Ｚ軸の３次元空間で色を表すもので、Ｘは赤い光の量、Ｙは緑の光の量、Ｚは青紫の光の量に相当し、例えば２つの対象物のＸ、Ｙ及びＺそれぞれの値が互いに等しければ同じ色を表すことになる。
【０００６】
上述のデバイスカラープロファイルは、印刷機や校正用カラープリンタで複数の基本色の階調値の複数の組み合わせの色のパッチを出力して、そのパッチの各波長ごとの反射率Ｒ（λ）（分光反射率）を測定してその測定結果を用いて作成される。
【０００７】
また、上記のデバイスカラープロファイルの作成時などに用いられる測定器としては、このようなデバイスプロファイルの作成などの多数の色パッチを測定するニーズが増えていることから、容易に測定できるように安価でさらに小型で可搬できるタイプの測定器が一般に用いられている。このようなタイプの測定器では、分光装置として干渉フィルタを用いたものや、分散素子とフォトダイオードアレイを組み合わせたポリクロメータを用いた簡易分光装置が用いられる。
【０００８】
また、表色系の値の計算に用いる光源のデータには、例えばＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）で定められたＤ５０やＤ６５などの標準光源が用いられるのが一般的であり、その場合、上記のような簡易分光装置を用いた測定器でも十分な精度で測定結果が得られていた。そして、この測定結果に基づいて上述のように色の合わせこみを行うと、測定に用いた標準光源の下では、印刷物とカラープルーフの色は同じに見える。
【０００９】
しかしながら、印刷物と上述のようにして色を合わせこんだカラープルーフを例えば室内の蛍光灯下で見ると色が異なって見える場合がある。蛍光灯の各波長における放射量（分光放射量）が標準光源とは異なり、蛍光灯は連続的な放射量とある波長で放射量が大きい輝線を有し、印刷物の各基本色とカラープルーフの各基本色との分光吸収の違いがある。そのため、蛍光灯下では色の三刺激値であるＸＹＺ値が変わり色の見え方に影響する場合があるのである。例えば、図１５に蛍光灯の分光放射量を示す。図１５は、蛍光灯の放射量を４ｎｍ間隔で測定した結果で、図１５に示すような輝線を有している。
【００１０】
そこで、蛍光灯を光源とした場合のＸＹＺ値を求めて、その測色結果に基づいて色の合わせこみを行うことが考えられる。つまり、上記の放射量Ｌ（λ）として蛍光灯の放射量に基づく値を用いるのである。
【００１１】
ところで、反射率Ｒ（λ）は、上述したように簡易分光装置を用いた測定器で測定されるので、技術的には図１５に示すような例えば４ｎｍなどの細かな波長間隔で高精度に測定するのが技術的に困難である。例えば、反射率Ｒ（λ）は、１０ｎｍ間隔で測定される。
【００１２】
そのため、ＸＹＺ値は、蛍光灯の放射量を反射率Ｒ（λ）の測定波長間隔である例えば１０ｎｍにあわせて上記の分光特性と放射量Ｌ（λ）と反射率Ｒ（λ）を１０ｎｍ間隔の各波長で積算して求められる。
【００１３】
【特許文献１】特開２００４−３５６９５２号公報
【発明の開示】
【発明が解決しようとする課題】
【００１４】
しかしながら、蛍光灯の放射量を１０ｎｍ間隔としてＸＹＺ値を求めると、輝線の波長によっては、輝線の放射量が実際より小さくなってしまい、輝線の影響がＸＹＺ値に十分に反映されず、蛍光灯下で実際に見ている色のＸＹＺ値と誤差を生じ、求めたＸＹＺ値が正確に色を示すことができない場合がある。したがって、このようなＸＹＺ値からデバイスカラープロファイルを求め、そのデバイスカラープロファイルに基づいて色あわせを行えば、印刷物とカラープルーフを蛍光灯下で見ると輝線や分光吸収の違いに影響されて色が異なって見えてしまう場合がある。
【００１５】
輝線の影響を十分に反映させるには、反射率Ｒ（λ）を１０ｎｍよりも細かな４〜５ｎｍなどの波長間隔で測定する必要があるが、そのためには、例えば、分光装置としてプリズムもしくは回折格子やその組合せを用いた測定器を別途用意する必要があり、余分な費用を発生させるばかりか、容易に測定することが困難となる。
【００１６】
本発明は、上記事情に鑑みてなされたものであり、その目的とするところは、輝線を有する蛍光灯の下における対象物の色の表色系の値を精度よく求めることが可能な色測定方法、その色測定方法を用いた色調整方法、カラー画像形成方法及びカラー画像形成システムを提供することにある。
【課題を解決するための手段】
【００１７】
上記課題を解決するために請求項１記載の発明は、輝線を有する蛍光灯の第１の波長間隔の各波長における放射量を取得する段階と、前記第１の波長間隔より広い第２の波長間隔で対象物の各波長における反射率を取得する段階と、前記第２の波長間隔の反射率を補間することにより、前記第１の波長間隔の反射率を求める段階と、前記第１の波長間隔の各波長における放射量と前記補間により求めた第１の波長間隔の各波長における反射率とを用いて前記対象物の色を示す表色系の値を求める段階とを含むことを特徴としている。
【００１８】
また、請求項２記載の発明は、前記表色系の値を求める段階は、ＣＩＥ（Ｃｏｍｍｉｓｓｉｏｎ  Ｉｎｔｅｒｎａｔｉｏｎａｌｅ  ｄｅ  ｌ’Ｅｃｌａｉｒａｇｅ）で定められたＸＹＺ表色系の値についての分光特性のそれぞれと、前記第１の波長間隔の各波長における放射量と、前記第１の波長間隔の各波長における反射率との積を求め、前記求めた各波長の積の合計値から、ＸＹＺ表色系の値を求める段階を含むことを特徴としている。
【００１９】
また、請求項３記載の発明は、前記表色系の値を求める段階は、前記ＸＹＺ表色系の値からＬ＊ａ＊ｂ＊表色系の値を求める段階を更に含むことを特徴としている。
【００２０】
また、請求項４記載の発明は、複数の基本色のそれぞれの色の濃度の段階を示す階調値に基づいて第１のカラー画像出力装置で出力される色調と第２のカラー画像出力装置で出力する色調とを合わせるように色調整を行う色調整方法であって、輝線を有する蛍光灯の第１の波長間隔の各波長における放射量を取得する段階と、前記第１の波長間隔より広い第２の波長間隔で、前記第１及び第２のカラー画像出力装置で前記複数の基本色の階調値の複数の組み合わせにより出力された各色の各波長における反射率を取得する段階と、前記第１及び第２のカラー画像出力装置それぞれの出力についての前記第２の波長間隔の各波長における反射率を補間することにより、それぞれの前記第１の波長間隔の反射率を求める段階と、前記第１の波長間隔の各波長における放射量と前記補間により求めた前記第１及び第２のカラー画像出力装置それぞれの出力についての第１の波長間隔の各波長における反射率とを用いてそれぞれの各色の表色系の値を求める段階と、前記第１及び第２のカラー画像出力装置それぞれについて、前記複数の基本色の階調値の複数の組み合わせと、前記求めた各色の表色系の値とを関連付けたテーブルをそれぞれ作成する段階と、前記作成した前記第１及び第２のカラー画像出力装置のそれぞれについてのテーブルを用いて前記色調整を行うことを特徴としている。
【００２１】
また、請求項５記載の発明は、複数の基本色のそれぞれの色の濃度の段階を示す階調値を含んで構成される画像データに基づいて第１のカラー画像出力装置で出力される画像の色調を色あわせの目標とし、前記画像データに基づいて第２のカラー画像出力装置で出力する色調を前記目標とする色調に合わせるように色調整を行ってカラー画像を形成するカラー画像形成方法であって、輝線を有する蛍光灯の第１の波長間隔の各波長における放射量を取得する段階と、前記第１の波長間隔より広い第２の波長間隔で、前記第１及び第２のカラー画像出力装置で前記複数の基本色の階調値の複数の組み合わせにより出力された各色の各波長における反射率を取得する段階と、前記第１及び第２のカラー画像出力装置それぞれの出力についての前記第２の波長間隔の各波長における反射率を補間することにより、それぞれの前記第１の波長間隔の反射率を求める段階と、前記第１の波長間隔の各波長における放射量と前記補間により求めた前記第１及び第２のカラー画像出力装置それぞれの出力についての第１の波長間隔の各波長における反射率とを用いてそれぞれの各色の表色系の値を求める段階と、前記第１及び第２のカラー画像出力装置それぞれについて、前記複数の基本色の階調値の複数の組み合わせと、前記求めた各色の表色系の値とを関連付けたテーブルをそれぞれ作成し、前記それぞれのテーブルを用いて、複数の基本色の階調値の組み合わせと、該組み合わせにより前記第１のカラー画像出力装置で出力する色を前記第２のカラー画像出力装置で出力する複数の基本色の階調値の組み合わせとを複数について関連づけた色変換テーブルを作成する段階と、前記作成されたそれぞれの色変換テーブルを用いて前記画像データの複数の基本色の階調値の組み合わせを変換する段階と、前記変換された画像データに基づいて前記第２のカラー画像出力装置でカラー画像を形成する段階とを含むことを特徴としている。
【００２２】
また、請求項６記載の発明は、複数の基本色のそれぞれの色の濃度の段階を示す階調値を含んで構成される画像データに基づいて第１のカラー画像出力装置で出力される画像の色調を色あわせの目標とし、前記画像データに基づいて画像を出力する第２のカラー画像出力装置を備え、前記画像データに基づいて第２のカラー画像出力装置で出力する色調を前記目標とする色調に合わせるように色調整を行ってカラー画像を形成するカラー画像形成システムであって、輝線を有する蛍光灯の第１の波長間隔の各波長における放射量を取得する放射量取得手段と、前記第１の波長間隔より広い第２の波長間隔で、前記第１及び第２のカラー画像出力装置で前記複数の基本色の階調値の複数の組み合わせにより出力された各色の各波長における反射率を取得する反射率取得手段と、前記第１及び第２のカラー画像出力装置それぞれの出力についての前記第２の波長間隔の各波長における反射率を補間することにより、それぞれの前記第１の波長間隔の反射率を求め、前記第１の波長間隔の各波長における放射量と前記補間により求めた前記第１及び第２のカラー画像出力装置それぞれの出力についての第１の波長間隔の各波長における反射率とを用いてそれぞれの各色の表色系の値を求める色演算手段と、前記第１及び第２のカラー画像出力装置それぞれについて、前記複数の基本色の階調値の複数の組み合わせと、前記求めた各色の表色系の値とを関連付けたテーブルをそれぞれ作成し、前記それぞれのテーブルを用いて、複数の基本色の階調値の組み合わせと、該組み合わせにより前記第１のカラー画像出力装置で出力する色を前記第２のカラー画像出力装置で出力する複数の基本色の階調値の組み合わせとを複数について関連づけた色変換テーブルを作成するＬＵＴ作成手段と、
前記作成されたそれぞれの色変換テーブルを用いて前記画像データの複数の基本色の階調値の組み合わせを変換する階調値変換手段と、前記変換された画像データに基づいてカラー画像を形成するように前記第２のカラー画像出力装置を制御する制御手段とを備えることを特徴としている。
【発明の効果】
【００２３】
本発明に係る色測定方法、その色測定方法を用いた色調整方法、カラー画像形成方法及びカラー画像形成システムによれば、対象物の各波長における反射率を示す分光反射率の波長間隔を、輝線を有する蛍光灯の各波長における放射量の分光放射量の波長間隔に補間することにより合わせて、表色系の値を求めるので、輝線を有する蛍光灯の下における対象物の色の表色系の値を精度よく求めることが可能となる。
【発明を実施するための最良の形態】
【００２４】
まず、本発明について説明する前に、ＸＹＺ表色系の値からＬ＊ａ＊ｂ＊表色系の値の求め方について触れておく。
【００２５】
まず、ＸＹＺ表色系の値は、〔背景技術〕に述べたが、ＣＩＥで定められたｘ（λ），ｙ（λ），ｚ（λ）（ＣＩＥ１９３１中では、このｘ，ｙ，ｚの上にはバー（−）が付けられている。）の分光特性と各波長λにおける光源の放射量Ｌ（λ）と対象物の反射率Ｒ（λ）を積算した値を合計して求められる。すなわち、
Ｘ値は、各波長における積算値  Ｌ（λ）・Ｒ（λ）・ｘ（λ）を合計した値、
Ｙ値は、各波長における積算値  Ｌ（λ）・Ｒ（λ）・ｙ（λ）を合計した値、
Ｚ値は、各波長における積算値  Ｌ（λ）・Ｒ（λ）・ｚ（λ）を合計した値
として求めることができる。
【００２６】
また、ＸＹＺ表色系の値のＸ値、Ｙ値、Ｚ値（まとめてＸＹＺ値よいうことがある）から、Ｌ＊ａ＊ｂ＊表色系の値のＬ＊値、ａ＊値、ｂ＊値は、以下のようにして求めることができる。まず、
Ｘｄ＝Ｘ／Ｘ０、Ｙｄ＝Ｙ／Ｙ０、Ｚｄ＝Ｚ／Ｚ０とする。ただし、Ｘ０、Ｙ０、Ｚ０は、それぞれｘ（λ），ｙ（λ），ｚ（λ）を全波長（３８０ｎｍから７８０ｎｍ）について足し合わせた値である。そして、
Ｘ２＝Ｘｄ＾（１／３）              ；Ｘｄ＞０．００８８５６の場合
＝Ｘｄ×７．７８７＋１６／１１６；それ以外の場合
Ｙ２＝Ｙｄ＾（１／３）              ；Ｙｄ＞０．００８８５６の場合
＝Ｙｄ×７．７８７＋１６／１１６；それ以外の場合
Ｚ２＝Ｚｄ＾（１／３）              ；Ｚｄ＞０．００８８５６の場合
＝Ｚｄ×７．７８７＋１６／１１６；それ以外の場合
と、Ｘ２、Ｙ２、Ｚ２を求め、
Ｌ＊＝Ｙ２×１１６−１６
ａ＊＝５００×（Ｘ２−Ｙ２）
ｂ＊＝２００×（Ｙ２−Ｚ２）
と、Ｌ＊値、ａ＊値、ｂ＊値で示されるＬ＊ａ＊ｂ＊表色系の値を求める。また、Ｌ＊ａ＊ｂ＊表色系の値から逆算することにより、ＸＹＺ表色系の値のＸ値、Ｙ値、Ｚ値を求めることができる。
【００２７】
以下、本発明の色測定方法、その色測定方法を用いた色調整方法を述べるにあたり、一例としてカラー画像出力装置としての動作を行うカラー画像形成システムに適用した実施の形態を示し、図面を参照して具体的に説明する。
【００２８】
〔出力の概要〕
まず、本実施の形態における画像の出力の概要について述べる。本実施の形態のカラー画像形成システムは、画像データ（いわゆるベクタグラフィックスと呼ばれ、各オブジェクトを点の座標とそれを結ぶ線や面の方程式のパラメータ、及び、塗りつぶしの色（ＹＭＣＫ各色の階調値で示す。階調値とは、白を０、ベタを２５５として段階的に示す値である。また、色を白を０、ベタを１００で段階的に示す網点面積率（網％ということがある）で表してもよい）や特殊効果、文字の形状を示す文字フォント情報やそのサイズなどの描画情報の集合で示すベクトルデータや、いわゆるビットマップグラフィックスと呼ばれ、横方向に所定の間隔（解像度）で配置された複数の画素で１ラインを構成し、さらにラインが縦方向に所定の間隔で並べられ、各画素が階調値で示される描画情報により示すラスターデータ）に基づいて校正用カラープリンタ（第２のカラー画像出力装置）でカラープルーフを出力するが、そのとき例えば印刷機（第１のカラー画像出力装置）が印刷（出力）する色調を色あわせの目標とし、校正用カラープリンタで出力するカラープルーフを目標の色調となるように色調整するものである。
【００２９】
〔カラー画像形成システムの制御構成〕
次に、上述のように画像データに基づいてカラープルーフを作成するカラー画像形成システムの制御構成について図１を用いて説明する。図１にカラー画像形成システムの機能ブロック図を示す。図１に示すように、本実施の形態のカラー画像形成システムは、制御装置１と校正用カラープリンタ２で構成される。
【００３０】
校正用カラープリンタ２は、例えば、ＹＭＣＫ各色の画像データに基づいて、緑色（Ｇ）光により感光材料のシアン発色層（Ｃ層）を感光させ、赤色（Ｒ）光により感光材料のマゼンタ発色層（Ｍ層）を感光させ、青色（Ｂ）光により感光材料のイエロー発色層（Ｙ層）を感光させ、現像処理を行い、基本色であるＣ、Ｍ、Ｙを顕在化して出力させ，カラー画像を形成する。
【００３１】
制御装置１は、制御部１０、記憶部２０、入力部４０及び画像データ受付手段３０を含んで構成される。
【００３２】
記憶部２０は、ハードディスクドライブやイメージメモリ等の記憶装置によって構成され、分光放射量記憶部２１、分光反射率記憶部２２、及び、ＬＵＴ記憶部２３を備えている。
【００３３】
分光放射量記憶部２１は、色を観察する光源の所定間隔の波長λの各波長における放射量Ｌ（λ）が記憶されている。本実施の形態では、色を観察する光源として連続的な放射量とある波長で放射量が大きい輝線を有する蛍光灯を用いる。また、この波長間隔は本発明の第１の波長間隔であり、また、この各波長における放射量Ｌ（λ）を分光放射量という。図２に分光放射量記憶部２１に記憶する分光放射量の構成を示す。所定の間隔は、分光放射量を測定する測定器によるものであるが、図２に示す例では一例として波長３８０ｎｍから７８０ｎｍの間で４ｎｍ間隔の波長λについてのそれぞれの放射量Ｌ（λ）（図では数値省略）を記憶するようになっている。また図２では複数の光源についての分光放射量を記憶できるようになっている。
【００３４】
分光反射率記憶部２２は、色あわせの目標とする印刷機及び校正用カラープリンタ２のそれぞれで、Ｃ、Ｍ、Ｙ及びＫそれぞれの最小値０から２５５の間で、０、６４、１２８、１９１、２５５の５段階をとり、Ｃ×Ｍ×Ｙ×Ｋ：５×５×５×５＝６２５点の組合せについてカラーパッチを配置した図３のようなカラーチャートを出力し、その各カラーパッチについての所定間隔の波長λの各波長における反射率Ｒ（λ）（図では数値省略）の測定結果が記憶されている。この波長間隔は本発明の第２の波長間隔であり、また、この各波長における反射率Ｒ（λ）を分光反射率という。図４に分光反射率記憶部２２の構成を示す。所定の間隔は、分光反射率を測定する測定器によるものであるが、図４（ａ）（ｂ）には、一例としてそれぞれ印刷機及び校正用カラープリンタ２について、波長３８０ｎｍから７８０ｎｍの間で１０ｎｍ間隔の波長λについてのそれぞれの反射率Ｒ（λ）を記憶する構成を示した。
【００３５】
ＬＵＴ記憶部２３は、図５に示すように印刷機の出力特性を示すデバイスカラープロファイルを構成する印刷機のＣＭＹＫ→Ｌ＊ａ＊ｂ＊  ＬＵＴ２３１（第１の参照テーブル）、印刷機のＬ＊ａ＊ｂ＊→ＣＭＹＫ  ＬＵＴ２３２（第２の参照テーブル）、校正用カラープリンタの出力特性を示すデバイスカラープロファイルを構成する校正用カラープリンタ２のＣＭＹＫ→Ｌ＊ａ＊ｂ＊  ＬＵＴ２３３（第１の参照テーブル）、校正用カラープリンタ２のＬ＊ａ＊ｂ＊→ＣＭＹＫ  ＬＵＴ２３４（第２の参照テーブル）、及び、上述の目標とする印刷機の出力する色で校正用カラープリンタ２が画像を出力するように画像データのＣＭＹＫの階調を変換するためのデバイスリンクカラープロファイル（色変換テーブル）としてＣＭＹＫ→  ＣＭＹＫ  ＬＵＴ２３５が記憶されている。これらのＬＵＴは、後述のＬＵＴ作成手段１３により作成される。
【００３６】
ＣＭＹＫ→Ｌ＊ａ＊ｂ＊  ＬＵＴは、例えば図６に示すように、Ｃ×Ｍ×Ｙ×Ｋ：９×９×９×９のＬＵＴ入力点に対しＬ＊ａ＊ｂ＊表色系の値が出力点となる４次元入力／３次元出力の参照テーブルで、Ｌ＊ａ＊ｂ＊→ＣＭＹＫ  ＬＵＴは、図７に示すようにＬ＊ａ＊ｂ＊３３×３３×３３のＬＵＴ入力点に対しＣＭＹＫが出力点となる３次元入力／４次元出力の参照テーブルで、ＣＭＹＫ→  ＣＭＹＫ  ＬＵＴは、例えば図８に示すようなＣ×Ｍ×Ｙ×Ｋ：２１×２１×２１×２１ＬＵＴ入力点に対してＣＭＹＫ値が出力点となる４次元入力／４次元出力の参照テーブルである。
【００３７】
入力部４０は、例えば、分光放射量記憶部２１、分光反射率記憶部２２などに記憶する各測定結果などを入力するためのものである。また、例えば、測定器と接続するためのインターフェイスや、測色結果などが入力されたＦＤ（Ｆｌｏｐｐｙ（登録商標）  Ｄｉｓｋ）等を出し入れ可能に装着する読取装置のようなものであってもよい。つまり、放射量取得手段としての機能及び反射率取得手段としての機能を有する。
【００３８】
画像データ受付手段３０は、送受信インターフェイス回路などから構成され、図示しない外部端末から送信された上述の階調画像データを受信する。また、階調画像データなどが入力されたＣＤ−ＲＯＭ（Ｃｏｍｐａｃｔ  Ｄｉｓｋ  Ｒｅａｄ−Ｏｎｌｙ  Ｍｅｍｏｒｙ）等を出し入れ可能に装着する読取装置のようなものであってもよい。
【００３９】
制御部１０は、ＣＰＵ等の演算制御装置によって構成され、ＲＯＭやハードディスクドライブ等のプログラム格納部（図示省略）に格納されたコンピュータプログラムを実行することにより各部の制御を行う。また、制御部１０は、当該コンピュータプログラムにしたがって、階調値変換手段１１、画像記録制御手段１４、色演算手段１２、及び、ＬＵＴ作成手段１３としての機能を実行する。
【００４０】
階調値変換手段１１は、ＬＵＴ記憶部２３に記憶されるＣＭＹＫ→  ＣＭＹＫ  ＬＵＴ２３５に基づいて画像データ受付手段３０が受け付ける画像データに示されるＣＭＹＫの階調値の組み合わせを変換して出力する。
【００４１】
例えば、入力されるＣＭＹＫの階調値の組み合わせから出力されるＣＭＹＫの階調値の組み合わせへの変換は、例えば、特開２００４−３５６９５２号公報に記載のように行われる。つまり、ＣＭＹＫ→ＣＭＹＫ  ＬＵＴ２３５に入力されるＣＭＹＫの階調値から、階調値が含まれる前後の２点をＣＭＹＫそれぞれについて求めて全１６個の組み合わせの格子点についてのＬＵＴ出力値を求め、ＣＭＹＫそれぞれの階調値から前後２点までの距離を求めて、補間計算によって、入力されるＣＭＹＫの組み合わせに対応するＣＭＹＫの組み合わせを求める。
【００４２】
画像記録制御手段１４は、ＣＭＹＫの階調値の組み合わせが変換された画像データに基づいて画像を出力するように校正用カラープリンタ２を制御する制御手段としての機能を有する。
【００４３】
色演算手段１２は、分光放射量記憶部２１に記憶された色を観察する光源の分光放射量と、分光反射率記憶部２２に記憶された各カラーパッチについての分光反射率とから、各カラーパッチの表色系の値を求める機能を有する。
【００４４】
例えば、校正用カラープリンタ２で出力したカラーパッチの表色系の値を求めるには、まず、図４（ｂ）に示した校正用カラープリンタ２の各ＣＭＹＫの組み合わせについての波長３８０ｎｍから７８０ｎｍの間で１０ｎｍ間隔の各波長λについての反射率Ｒ（λ）から、記憶した分光放射量の波長間隔の波長３８０ｎｍから７８０ｎｍの間で４ｎｍ間隔の各波長λについての反射率Ｒ´（λ）を補間する演算により求める。
【００４５】
そして、〔発明を実施するための最良の形態〕の冒頭に述べたようにして、４ｎｍ間隔の各波長λについて放射量Ｌ（λ）と反射率Ｒ´（λ）とｘ（λ）を積算して合計することによりＸ値、放射量Ｌ（λ）と反射率Ｒ´（λ）とｙ（λ）を積算して合計することによりＹ値、放射量Ｌ（λ）と反射率Ｒ´（λ）とｚ（λ）を積算して合計することによりＺ値をそれぞれ求め、求めたＸＹＺ値からＬ＊ａ＊ｂ＊表色系の値を求める。そして、図９に示すように印刷機及び校正用カラープリンタ２についてそれぞれのＣ×Ｍ×Ｙ×Ｋ：５×５×５×５＝６２５点の組合せについてカラーパッチについてのＬ＊ａ＊ｂ＊表色系の値を求める。また、この色演算結果を、例えば、図９（ａ）（ｂ）に示すような構成で一時的に記憶する。
【００４６】
ＬＵＴ作成手段１３は、色演算手段１２により得られたカラーパッチのＬ＊ａ＊ｂ＊表色系の値に基づいて、デバイスカラープロファイルである印刷機のＣＭＹＫ→Ｌ＊ａ＊ｂ＊  ＬＵＴ２３１、印刷機のＬ＊ａ＊ｂ＊→ＣＭＹＫ  ＬＵＴ２３２、校正用カラープリンタ２のＣＭＹＫ→Ｌ＊ａ＊ｂ＊  ＬＵＴ２３３、校正用カラープリンタ２のＬ＊ａ＊ｂ＊→ＣＭＹＫ  ＬＵＴ２３４、及び、デバイスリンクカラープロファイルとしてＣＭＹＫ→  ＣＭＹＫ  ＬＵＴ２３５を作成する。
【００４７】
例えば、本出願人による特開２００４−３５６９５２に記載のようにして作成することができる。つまり、まず、印刷機と校正用カラープリンタ２のそれぞれについて、上記ＣＭＹＫの５×５×５×５＝６２５点の組み合わせと、演算により求めた各Ｌ＊ａ＊ｂ＊表色系の値とを基に、補間によりＣＭＹＫの９×９×９×９の各組み合わせについてのＬ＊ａ＊ｂ＊表色系の値を求めることによりＣＭＹＫ→Ｌ＊ａ＊ｂ＊  ＬＵＴを作成する。そして、Ｌ＊ａ＊ｂ＊３３×３３×３３のＬＵＴ入力点に対するＣＭＹＫの組み合わせを、ＣＭＹＫ→Ｌ＊ａ＊ｂ＊  ＬＵＴを用いて各Ｌ＊ａ＊ｂ＊入力点に対し収束演算を行うことにより求め、Ｌ＊ａ＊ｂ＊→ＣＭＹＫ  ＬＵＴを求める。
【００４８】
そして、印刷機のＣＭＹＫ→Ｌ＊ａ＊ｂ＊  ＬＵＴ２３１と校正用カラープリンタ２のＬ＊ａ＊ｂ＊→ＣＭＹＫ  ＬＵＴ２３４とを用いて、入力側の４色の基本色の組み合わせについて、入力側の４色の基本色の組み合わせを印刷機で印刷したときの色を校正用カラープリンタ２で出力するための４色の基本色の組み合わせが出力側に関連づけられたＣＭＹＫ→ＣＭＹＫ  ＬＵＴ２３５を作成する。
【００４９】
〔カラー画像形成方法〕
次に、本発明の色測定方法及び色調整方法を適用した本実施の形態のカラー画像形成方法の処理の手順の一例について図を用いて説明する。その中で、色測定方法及び色調整方法の一例についても説明するものとする。
【００５０】
図１０は、本実施の形態のカラー画像形成方法の処理の手順の一例を示すフローチャートである。以下、各ステップを、例えば図１０ステップＳ１１であれば省略してＳ１１と表示すことにする。他のステップも同様である。
【００５１】
まず、制御部１０は、入力部４０を介して、印刷物とカラープルーフの観察を行う光源、例えば蛍光灯の分光放射量を取得し、分光放射量記憶部２１に記憶する（Ｓ１１）。例えば、図２に示したように波長３８０ｎｍから７８０ｎｍの間で４ｎｍ間隔の波長λについてのそれぞれの放射量Ｌ（λ）、つまり分光放射量が記憶される。
【００５２】
次に、制御部１０は、入力部４０を介して、印刷機とカラープルーフ作成装置２で出力した図３に示したカラーパッチの分光反射率を取得し、分光反射率記憶部２２に記憶する（Ｓ１２）。例えば、図４に示したように各パッチを示すＣＭＹＫの階調値の組み合わせに対する波長３８０ｎｍから７８０ｎｍの間で１０ｎｍ間隔の波長λについての反射率Ｒ（λ）が記憶される。
【００５３】
そして、色演算部１２は、印刷機及びカラープルーフ作成装置２の分光反射率と分光放射量とから、印刷機及びカラープルーフ作成装置２のそれぞれのカラーパッチのＣＭＹＫの階調値の組み合わせに対するＬ＊ａ＊ｂ＊表色系の値を求める（Ｓ１３）。
【００５４】
ここで、図１１を用いて表色系の値を求める手順について説明する。図１１は、表色系の値を求める手順を示すフローチャートである。
【００５５】
まず、印刷機及び校正用カラープリンタ２のそれぞれのカラーパッチのＣＭＹＫの階調値の組み合わせについて、分光反射率記憶部２２に記憶した分光反射率から、記憶した分光放射量の波長間隔の各波長λについての反射率Ｒ´（λ）を補間することにより求めることにより、記憶した分光放射量の波長間隔の分光反射率を得る（Ｓ２１）。
【００５６】
次に記憶した分光放射量とＳ２１で求めた分光反射率を用いて、それぞれのカラーパッチのＣＭＹＫの階調値の組み合わせのＸＹＺ値を求める（Ｓ２２）。
【００５７】
具体的には、〔発明を実施するための最良の形態〕の冒頭に述べたように、ＣＩＥで定められたｘ（λ），ｙ（λ），ｚ（λ）（ＣＩＥ１９３１中では、このｘ，ｙ，ｚの上にはバー（−）が付けられている。）の分光特性と記憶した分光放射量を示す放射量Ｌ（λ）とＳ２１で求めた反射率Ｒ´（λ）を積算した値を合計して求める。すなわち、
Ｘ値は、各波長における積算値  Ｌ（λ）・Ｒ´（λ）・ｘ（λ）を合計した値、
Ｙ値は、各波長における積算値  Ｌ（λ）・Ｒ´（λ）・ｙ（λ）を合計した値、
Ｚ値は、各波長における積算値  Ｌ（λ）・Ｒ´（λ）・ｚ（λ）を合計した値
として求める。
【００５８】
最後に、求めたＸＹＺ値から、〔発明を実施するための最良の形態〕の冒頭に述べた計算式に従って、それぞれのカラーパッチのＣＭＹＫの階調値の組み合わせのＬ＊ａ＊ｂ＊表色系の値を求める（Ｓ２３）。
【００５９】
再び図１０に戻り、ＬＵＴ作成手段１３は、上述したようにして、印刷機のＣＭＹＫ→Ｌ＊ａ＊ｂ＊  ＬＵＴ、印刷機のＬ＊ａ＊ｂ＊→ＣＭＹＫ  ＬＵＴ、校正用カラープリンタ２のＣＭＹＫ→Ｌ＊ａ＊ｂ＊  ＬＵＴ、校正用カラープリンタ２のＬ＊ａ＊ｂ＊→ＣＭＹＫ  ＬＵＴ、及び、デバイスリンクカラープロファイルのＣＭＹＫ→  ＣＭＹＫ  ＬＵＴを作成し記憶する（Ｓ１４）。
【００６０】
そして、画像データ受付手段３０で画像データを受け付けると（Ｓ１５）、階調値変換手段１１は、画像データに示される各ＹＭＣＫの階調値の組み合わせをＣＭＹＫ→  ＣＭＹＫ  ＬＵＴ２３５を用いて変換する（Ｓ１６）。
【００６１】
画像記録制御手段１４は、ＣＭＹＫの階調値の組み合わせが変換された画像データに基づいて画像を出力するように校正用カラープリンタ２を制御する（Ｓ１７）。
【００６２】
そして、校正用カラープリンタ２はＣＭＹＫの階調値の組み合わせが変換された画像データに基づいて画像を出力する。このときの色調整は、蛍光灯下における印刷物の表色系の値を、蛍光灯下におけるカラープルーフで再現するようにおこなわれているので、蛍光灯下で印刷物とカラープルーフを見たときの色の再現性が向上する。
【００６３】
また、上述のようにして分光反射率を例えば１０ｎｍ間隔で測定したものであっても、分光放射量の測定の波長間隔にして表色系の値を求めるので、分光放射量の測定で得られる輝線の影響を十分反映した表色系の値として求めることできるので、蛍光灯の下における色の表色系の値を精度よく求めることが可能となる。上記の説明では、印刷機及びカラープルーフ作成装置の出力物の測定を例に示したが、それらに限らず、輝線を有する光源下における対象物の色の表色系の値を精度よく測定することが可能となる。
【実施例】
【００６４】
次に、本実施の形態の色測定方法を用いて、蛍光灯下における表色系の値を求めた具体的な一例を示す。
【００６５】
まず、分光反射率Ｒを測定する。その測定結果を図１２に示す。図１２のＲ（λ）が印刷物のシアン１００％についての分光反射率の例である。図１２に示すように分光反射率は、３８０ｎｍから７３０ｎｍの間の１０ｎｍ間隔の各波長についての反射率Ｒ（λ）を測定した。
【００６６】
次に、輝線を有する蛍光灯の分光放射量を測定する。その測定結果を図１５に示す。図１５に示すように分光放射量は、３８０ｎｍから７８０ｎｍの間の４ｎｍ間隔の各波長についての放射量Ｌ（λ）を測定した。
【００６７】
次に、本発明に掛かる色測定方法を用いて表色系の値を求める。まず、１０ｎｍ間隔で測定した分光反射率から、補間することにより４ｎｍ間隔の各波長についての反射率Ｒ´（λ）を求める。その結果を図１３内のＲ’（λ）に示す。
【００６８】
そして、
各波長における積算値  Ｌ（λ）・Ｒ´（λ）・ｘ（λ）を合計して、
Ｘ＝
各波長における積算値  Ｌ（λ）・Ｒ´（λ）・ｙ（λ）を合計して、
Ｙ＝
各波長における積算値  Ｌ（λ）・Ｒ´（λ）・ｚ（λ）を合計して、
Ｚ＝
を求める。
【００６９】
そして、ＸＹＺ表色系の値のＸ、Ｙ、Ｚから、Ｌ＊ａ＊ｂ＊表色系の値のＬ＊値、ａ＊値、ｂ＊値を求める。まず、
Ｘｄ＝Ｘ／Ｘ０、Ｙｄ＝Ｙ／Ｙ０、Ｚｄ＝Ｚ／Ｚ０とする。ただし、Ｘ０、Ｙ０、Ｚ０は、それぞれｘ（λ），ｙ（λ），ｚ（λ）を全波長（３８０ｎｍから７８０ｎｍ）について足し合わせた値である。そして、
Ｘ２＝Ｘｄ＾（１／３）              ；Ｘｄ＞０．００８８５６の場合
＝Ｘｄ×７．７８７＋１６／１１６；それ以外の場合
Ｙ２＝Ｙｄ＾（１／３）              ；Ｙｄ＞０．００８８５６の場合
＝Ｙｄ×７．７８７＋１６／１１６；それ以外の場合
Ｚ２＝Ｚｄ＾（１／３）              ；Ｚｄ＞０．００８８５６の場合
＝Ｚｄ×７．７８７＋１６／１１６；それ以外の場合
と、Ｘ２、Ｙ２、Ｚ２を求め、
Ｌ＊＝Ｙ２×１１６−１６
ａ＊＝５００×（Ｘ２−Ｙ２）
ｂ＊＝２００×（Ｙ２−Ｚ２）
と、Ｌ＊ａ＊ｂ＊表色系の値を求めると、
（Ｌ＊、ａ＊、ｂ＊）＝（５１．０９、−３１．１４、−５０．０５）、
となる。
【００７０】
印刷物のシアン１００％についてこの方法で計算した結果は、Ｌ＊が５１．０９、ａ＊が−３１．１４、ｂ＊が−５０．０５となった。１０ｎｍでの計算結果の比較として図１５の４ｎｍ間隔の分光放射データを１０ｎｍ間隔に補間して従来の１０ｎｍ間隔の計算方法で計算した結果は、Ｌ＊が５０．６７、ａ＊が−２３．５３、ｂ＊が−４９．６３であり、特にａ＊の値が大きく異なり色差ΔＥは７．６３であった。図１４に、この比較のデータを計算するために１０ｎｍ間隔に補間して使用した分光放射データを示す。
【００７１】
図１２に印刷物のシアン１００％の分光反射率Ｒ（λ）とともに４ｎｍ間隔の分光放射データＬ（λ）とｘ（λ）、ｙ（λ）、ｚ（λ）の積についてのカーブを示した。分光反射率Ｒ（λ）のカーブに傾きの大きい波長と光源に輝線がある波長λとが重なっており、特にこのシアン１００％のような色の測定において、より細かな波長間隔の分光放射データで計算することで、より実際に近い計算を行なうことができる。比較として図１３に１０ｎｍ間隔での分光放射データＬ（λ）とｘ（λ）、ｙ（λ）、ｚ（λ）の積のカーブを示した。
【００７２】
印刷物と校正用カラープリンタとでシアン、マゼンタ、イエロー、ブラックの色材の違いによって、これらの単色や２、３、４次色の分光反射率のカーブが異なる場合が多く、そのカーブの違いが蛍光灯光源の輝線のある波長において大きい場合には、通常の１０ｎｍでの計算によって求めたＬ＊ａ＊ｂ＊値を合わせるように色再現の計算を行なうと実際の蛍光灯光源の下で見た場合に色が十分に合わない場合がある。本発明のより細かな波長間隔の分光放射データで計算する方法により、このような測定値と目視との差を低減することができる。
【図面の簡単な説明】
【００７３】
【図１】本発明に係るカラー画像形成システムの構成を示す機能ブロック図である。
【図２】分光放射量記憶部に記憶される分光放射量の構成の一例を示す図である。
【図３】本実施の形態においてＣＭＹＫの階調値の組み合わせによる色の分光反射率を測定するためのカラーパッチ像の一例を示す図である。
【図４】（ａ）及び（ｂ）は、分光反射率記憶部に記憶される、それぞれ印刷機及び校正用カラープリンタで出力した各カラーパッチの分光反射率の構成の一例を示す図である。
【図５】本実施の形態のＬＵＴ記憶部の構成を示す図である。
【図６】本実施の形態においてＣＭＹＫの階調値の組み合わせに対する表色系の値Ｌ＊ａ＊ｂ＊を示すＬＵＴの説明図である。
【図７】本実施の形態において複数の表色系の値Ｌ＊ａ＊ｂ＊に対するＣＭＹＫの階調値の組み合わせを示すＬＵＴの説明図である。
【図８】本実施の形態において印刷機のＣＭＹＫの組み合わせを校正用カラープリンタのＣＭＹＫの組み合わせに変換するＬＵＴの説明図である。
【図９】（ａ）及び（ｂ）は、色演算手段により求められた、それぞれ印刷機及び校正用カラープリンタで出力した各カラーパッチのＬ＊ａ＊ｂ＊表色系の値を示す図である。
【図１０】色合わせの目標となる印刷機の出力色に合わせるように色調整を行いカラー画像を形成する手順の一例を示すフローチャートである。
【図１１】本実施の形態に係る分光放射量記憶部に記憶された分光放射量と分光反射率記憶部に記憶された分光反射率とから表色系の値を求める手順を示すフローチャートである。
【図１２】４ｎｍ間隔に補間した分光反射率Ｒ（λ）と４ｎｍ間隔の分光放射量Ｌ（λ）とｘ（λ）、ｙ（λ）、ｚ（λ）の積のデータの一例を示す図である。
【図１３】１０ｎｍ間隔の分光反射率Ｒ（λ）と１０ｎｍ間隔の分光放射量Ｌ（λ）とｘ（λ）、ｙ（λ）、ｚ（λ）の積のデータの一例を示す図である。
【図１４】蛍光灯の１０ｎｍ間隔の分光放射量Ｌ（λ）の一例を示す図である。
【図１５】蛍光灯の４ｎｍ間隔の分光放射量Ｌ（λ）の一例を示す図である。
【符号の説明】
【００７４】
１  制御装置
１０  制御部
１１  階調値変換手段
１２  色演算手段
１３  ＬＵＴ作成手段
１４  画像記録制御手段
２０  記憶部
２１  分光放射量記憶部
２２  分光反射率記憶部
２３  ＬＵＴ記憶部
３０  画像データ受付手段
４０  入力部
２  校正用カラープリンタ
【図１】
2007187508.tif 000003
【図２】
2007187508.tif 000004
【図３】
2007187508.tif 000005
【図４】
2007187508.tif 000006
【図５】
2007187508.tif 000007
【図６】
2007187508.tif 000008
【図７】
2007187508.tif 000009
【図８】
2007187508.tif 000010
【図９】
2007187508.tif 000011
【図１０】
2007187508.tif 000012
【図１１】
2007187508.tif 000013
【図１２】
2007187508.tif 000014
【図１３】
2007187508.tif 000015
【図１４】
2007187508.tif 000016
【図１５】
2007187508.tif 000017